(57)【要約】【課題】帯締めの房の形を整え、美しく保つことができる上に、帯締めのひもの部分も一緒にきれいに収納でき、また引き出し等に収納する際にも整理しやすく、携帯にも便利な帯締め収納具を提供する。【解決手段】帯締めの房を収納する部分と、ひもを収納する部分を一枚の布状体や合成樹脂シートにより包み込む。帯締めの房とひもをとめるためには、房用およびひも用それぞれに布状体や合成樹脂シートの表裏に２か所、合計４か所に面テープを配置して帯締め収納具を構成することにより、房の形を美しく整え、保持するとともにひもの部分もよじれたりすることなく形を整え整理する。【選択図】図１
2013167041.tif 000002
【特許請求の範囲】
【請求項１】
帯締めの房の部分とひもの部分を一緒に美しく、軽易に収納するために、帯締めの房の部分とひもの部分に巻きつける布状体又は合成樹脂シートと、前記布状体又は合成樹脂シートの表裏それぞれ２か所に面テープを取り付けた帯締め収納具。
【請求項２】
請求項１の帯締め収納具で帯締めの房が面テープに触れてからみつくことを防止するための房隔離材を取り付けた帯締め収納具。
【発明の詳細な説明】
【技術分野】
【０００１】  本発明は、帯締めの房の部分とひもの部分を収納するに際して、帯締めの房の乱れ、癖つき、からみつきの防止を図り、房の部分とひもの部分を一体に収納することにより、ひものねじれや折れを防ぎ、きれいに収納する帯締め及びその房を収納する帯締め収納具に関する。
【背景技術】
【０００２】  帯締めの収納方法としては、房のみをセロファン紙や和紙等で包むか、または、プラスチック製のキャップで包む方法が用いられているが、個々の房を一つずつ包まなければならず、しかもセロファン紙や和紙を使ったときは一度しか使えず、無駄な上に不便である。またプラスチック製のキャップを使った収納具も房を一つずつ包まなければならない。さらにひもの部分は、房の部分とは別に結ぶか紙等で巻いて収納しなければならず二重の手間がかかる。
【先行技術文献】
【特許文献】
【０００３】
【特許文献１】特許公開公報  ２００２−２７５７１７号
【特許文献２】特許公開公報  ２００５−０４８３４０号
【発明の概要】
【発明が解決しようとする課題】
【０００４】  帯締めの房をきれいに収納しようとするとセロファン紙、和紙、プラスチック製のキャップなどで一つずつ包むが、面倒であったり、使いずらかったり、一度しか使えなかったりといろいろと不便なことが多い。また、帯締めは房だけでなく、ひもの部分も一緒に収納することを考えなければ帯締めの収納にならない。帯締めを軽易に、きれいに、また無駄のないように収納できる用具とすることが望まれる。
【課題を解決するための手段】
【０００５】  本発明は、帯締めの房の部分とひもの部分を区分けして巻き込むこととして、巻き込むには布状体又は合成樹脂シートを使い、帯締めの房やひもをやさしく包み、きれいに整えて収納する方法をとる。布状体又は合成樹脂シートは表裏それぞれ２か所合計４か所に面テープを配置する。これらの４か所の面テープを利用して表裏の２対の面テープで房部分を巻きこみ固定したうえ、巻きこんだ房部分に帯締めのひも部分を重ね、残余の布状体又は合成樹脂シートを使い、巻きこみ残りの２か所の面テープで巻きつけを固定する。以上の簡単な巻きこみ手順で帯締めを収納することができる。また帯締めを使用するときには４か所の面テープの接合と逆の順序で解くことにより帯締めを取り出す方法を用いる帯締め収納具の構造とする。
【発明の効果】
【０００６】  一枚の布状体又は合成樹脂シートを用いた帯締め収納具で帯締めの房とひもの部分を一体的に収納できる。【０００７】  帯締めとひもを区別して巻きつけるので房の糸が乱れて絡みつかず、収納時や取り出した時に整え直さなくてよい。【０００８】  本発明の収納具を用いることにより帯締めは常にきれいに保たれ、引き出し等への収納に際しても整然と見た目もきれいに収めることができる。また帯締め収納具の素材について、色や模様を持たせることができるので装飾が楽しめ、帯締めの商品展示で注目をひく展示ができる。【０００９】  帯締めを携帯するときにも形がくずれることなく、持ち運びに便利である。
【図面の簡単な説明】
【００１０】
【図１】本発明の帯締め収納具に帯締めを収納した実施例を示す図
【図２】本発明の実施例を示す帯締め収納具の正面図
【図３】本発明の実施例を示す帯締め収納具の背面図
【図４】本発明の実施例を示す側面図
【図５】本発明の第２の実施例で隔離材を取り付けた側面図
【図６】本発明の第２の実施例で隔離材を取り付けた斜視図
【発明を実施するための形態】
【００１１】  本発明は、図１に示すように帯締めの房の部分とひもの部分を区分けして巻き込むこととして、その方法として表裏それぞれ２か所合計４か所に面テープを配置した布状体又は合成樹脂シート１を用いる。これらの４か所の面テープのうち表裏の２か所の面テープである第１の面テープ２を持ち帯締め端部を巻きこみ第２の面テープ４と接合し、帯締めの房部分を布状体又は合成樹脂シート１の中に引き込み固定する。巻きこんだ房部分に帯締めのひも部分を折りたたみ横に並べ、上記の布状体又は合成樹脂シート１の残余の部分を使い、帯締めのひも部分を巻きこみ残りの２か所の第４の面テープ５で巻きつけ、第３の面テープ３で固定する。
【００１２】    本発明の収納具で帯締めを収納した場合に色や模様を美しく見せるためには表面を広くとることが望まれるが、このためには表裏の第３の面テープ３と第２の面テープ４が表裏で近い位置に取り付けることが望ましい。また、帯締めの寸法違いの吸収方法は面テープの幅を広くして接合する面テープをお互いにずらせることで吸収することでしっかりととめ美しく見せる。
【００１３】  布状体又は合成樹脂シート１の横幅は、帯締めの房の長さを引き込みからみつきを保護する必要があるため少なくと帯締めの房の長さを要する。
【実施例１】
【００１４】  本発明の実施例として図１から図４を用いて説明する。図１は帯締めを収納した実施例を示し、このためには図３と図４に示すように布状体又は合成樹脂シート１の背面で、帯締めの両側の房２１を右側に向けて揃えて第２の面テープ４と布状体又は合成樹脂シート１の上端との間に置く。この時房部分が布状体又は合成樹脂シート１の右外側にはみ出すように仮置きする。次に図３の布状体又は合成樹脂シート１の上端部をもち布状体又は合成樹脂シート１の背面中央部に配置した第２の面テープ４と図２にて参照される布状体又は合成樹脂シート１の正面の第１の面テープ２とが接合するよう巻き込み固定する。その後左側の帯締めのひも部分を持ち、帯締めの房２１を布状体又は合成樹脂シート１の中に引き込み収める。つぎに図３の下部の第２の面テープ４の近傍に帯締めのひも２０を折り畳み、上記の房を巻き込んだ部分の横に並べて置き、上記布状体又は合成樹脂シート１の背面下部の第４の面テープ５を持ち、帯締めのひもおよび房をくるむため、上記布状体又は合成樹脂シート１の残部でもってくるみ、図２の第３の面テープ３と前記第４の面テープ５を接合して固定する。以上のように図１に示すように布状体又は合成樹脂シート１の表裏に配置した４つの面テープにて帯締めの房２０とひも２１の部分を一体的に巻いて固定して帯締めを収納する収納具と収納する方法とする。
【実施例２】
【００１５】  上記実施例１では、帯締めの房を引き込む時などに房部分と第１の面テープ２や第２の面テープ４にからみつくことがあるため、図５や図６に示す隔離材６にて予め帯締めの房部分がはみ出しによる帯締めの房部分と面テープの関わりを隔離して、帯締めの房部分を整然と収納する。
【産業上の利用可能性】
【００１６】  本発明第１の発明の帯締め収納具１０や第２の発明の帯締め収納具１１は、基本的には帯締めを軽易に取り扱え、整然と整理するための用具であるが、帯締め収納具の布状体又は合成樹脂シート１の表面素材の色彩や模様を選び商品展示にて装飾を目立たせたり、魅力を高めることができる。【００１７】  商品展示のフックをはさみこんだり、商品説明用タグをぶら下げるために紙片やプラスチック片の挿入を可能とするなど商品価値を高める機能も併せ持たせることもできる。
【符号の説明】
【００１８】１    布状体又は合成樹脂シート
２    第１の面テープ
３    第３の面テープ
４    第２の面テープ
５    第４の面テープ
６    隔離材
１０    第１の実施例の帯締め収納具
１１    第２の実施例の帯締め収納具
２０    収納する帯締めのひも（参考図）
２１    収納する帯締めの房（参考図）
Ａ    隔離材の取り付け部位
【図１】
2013167041.tif 000003
【図２】
2013167041.tif 000004
【図３】
2013167041.tif 000005
【図４】
2013167041.tif 000006
【図５】
2013167041.tif 000007
【図６】
2013167041.tif 000008